(57)【特許請求の範囲】
【請求項１】
脈診機において、人の手首部に独立に固定される１つの位置決めモジュールを含み、前記位置決めモジュールは１つの可視の位置決め窓を有し、
前記脈診機はさらに１つのセンサモジュールを含み、前記センサモジュールが前記位置決めモジュールに取り付けられ、組み立てられた後、前記センサモジュールのセンサ探知ヘッドが前記位置決め窓の内部に位置し、
前記位置決め窓の周りには脈拍の位置と合わせるための位置決めマークを有し、
前記位置決めマークが前記位置決め窓の四辺のそれぞれの中心位置に設置され、前記センサ探知ヘッドが前記位置決め窓の中心位置に位置し、
前記センサモジュールが弾性フックを有し、前記位置決めモジュールには係止溝が設けられ、組み立てられる時、前記センサモジュールの弾性フックが前記位置決めモジュールの係止溝内に係止され、
前記位置決めモジュールが、人の手首が合わせられる部分であるアーチ形凹面部を有し、
前記アーチ形凹面部には医用シリカゲル層が貼付されている、ことを特徴とする脈診機。
【請求項２】
前記位置決めモジュールの底部には、前記位置決めモジュールを人の手首部に固定するための２つのアーチ形バネが設けられている、ことを特徴とする請求項１に記載の脈診機。
【請求項３】
前記アーチ形バネがナイロン包帯で被装されている、ことを特徴とする請求項２に記載の脈診機。
【請求項４】
前記脈診機はさらに１つの、人の手の前腕を支持するためのベース台を含み、前記ベース台の内部には配線板が配置され、前記センサモジュールがデータ線を介して前記ベース台と接続されている、ことを特徴とする請求項１〜３のいずれか一項に記載の脈診機。
【請求項５】
前記ベース台には１つの脈枕が設けられている、ことを特徴とする請求項４に記載の脈診機。
【請求項６】
前記脈枕の底部は１つのスプリングを介して前記ベース台に固定され、前記脈枕が人の左右の腕の両方に対応するために前記ベース台に対して１８０°回転可能である、ことを特徴とする請求項５に記載の脈診機。
【発明の詳細な説明】
【技術分野】
【０００１】
本発明は、中国医療の脈診断装置に係り、具体的には脈診機に係る。
【背景技術】
【０００２】
中国医療で常用されている診断方法は、検査、聴診、問診、触診を含む。そのうち、触診は、中国医療の重要な診断方法の１つである。中国医療において、手の指で脈を触診することは、指先で橈骨動脈に対して異なる圧力を加える条件下（即ち弱、中、強）で、触覚、圧力感覚、振動感覚によって、脈拍の、回数、リズム、変動、強弱、粗細、流暢さ、深さなどの状況を含む情報を検出するものである。そのため、中国医療において脈から得られる情報は、脈の圧力と拍動力との集合であると理解すべきである。
【０００３】
従来の人体脈検出装置は通常２種類に分けることができる。１種類は、例えば、特許文献１（公報日２００１年２月２８日）に開示された知能化中国医療脈検出装置（図１参照）、特許文献２（公報日２００１年２月２８日）に開示された電子手首式脈検出装置（図２参照）、及び、特許文献３（公報日２００７年１０月１０日）に開示された三領域九分割の脈検出装置（図３参照）である。これらの装置の欠点は、脈検出装置の位置決め過程は通常まず位置を調整してその後機器を配置するが、センサを測定待ちの腕の位置と正確に合わせることができないことである。
【０００４】
もう１種類の検出装置、例えば、特許文献４（公報日２００５年１月１９日）に開示された中国医療脈診機（図４参照）では、人の手を機器に固定し、且つ、複数のボタンを介して検出の位置を調節することができる。しかし、この装置の欠点は、体積が比較的大きく、且つ、人の手首と検出装置との位置を合わせにくく、手首が少し回転または移動すれば最良なシグナルの測定ができなくなることである。
【先行技術文献】
【特許文献】
【０００５】
【特許文献１】中国特許出願公開第２４２０９７５号明細書
【特許文献２】中国特許出願公開第２２５５８１８号明細書
【特許文献３】中国特許出願公開第１０１０４９２４７号明細書
【特許文献４】中国特許出願公開第１５６５３７８号明細書
【発明の概要】
【発明が解決しようとする課題】
【０００６】
本発明が解決しようとする技術的な課題は、脈診機とセンサを脈拍の位置に正確に合わせ、且つ、人の手首に対するセンサの相対位置を固定させ、測定の利便性及び正確性を向上させることである。
【課題を解決するための手段】
【０００７】
前記技術的な課題を解決するため、本発明は脈診機を提供し、人の手首部に独立に固定される１つの位置決めモジュールを含み、前記位置決めモジュールは１つの可視の位置決め窓を有する。
好ましくは、前記脈診機はさらに１つのセンサモジュールを含み、前記センサモジュールが前記位置決めモジュールに取り付けられ、組み立てられた後、前記センサモジュールのセンサ探知ヘッドが前記位置決め窓の内部に位置する。
【０００８】
さらに、前記位置決め窓の周りには脈拍の位置と合わせるための位置決めマークを有する。
よりさらに、前記位置決めマークが前記位置決め窓の四辺の中心位置にそれぞれ設置され、前記センサ探知ヘッドが前記位置決め窓の中心位置に位置する。
さらに、前記センサモジュールが弾性フックを有し、前記位置決めモジュールには係止溝が設けられ、組み立てられる時、前記センサモジュールの弾性フックが前記位置決めモジュールの係止溝内に係止される。
【０００９】
さらに、前記位置決めモジュールは、人の手首が合わせられる部であるアーチ形凹面部を有する。
よりさらに、前記アーチ形凹面部には医用シリカゲル層が貼付される。
さらに、前記位置決めモジュールの底部には、前記位置決めモジュールを人の手首部に固定するための２つのアーチ形バネが設けられる。
【００１０】
よりさらに、前記アーチ形バネにはナイロン包帯が被装される。
さらに、前記脈診機はさらに１つの、人の手の前腕を支持するためのベース台を含み、前記ベース台の内部には配線板が配置され、前記センサモジュールはデータ線を介して前記ベース台と接続される。
よりさらに、前記ベース台には１つの脈枕が設けられる。前記脈枕の底部は１つのスプリングを介して前記ベース台に固定され、且つ前記脈枕は人の左右の腕の両方に対応するために前記ベース台に対して１８０°回転可能である。
【発明の効果】
【００１１】
本発明によれば、脈診機とセンサを脈拍の位置に正確に合わせ、且つ、人の手首に対するセンサの相対位置を固定させ、測定の利便性及び正確性を向上させることができる。つまり、１つの可視の位置決めモジュールを用いて位置決めを行うため、従来の脈診機に比較して以下のような利点を有する。
１．位置決めの過程が可視であるため、位置決めがより正確である。なお、位置決め窓に目盛りを付けてもよく、そうすれば、位置決めがより正確になる。
２．位置決めモジュールが手首部に独立に固定されており、手首との相対位置が固定であり、人の手首部の回転による測定位置ずれを防止できる。
３．位置決めモジュールの、人の手が合わせられる部分は弧面であり、且つ、医用シリカゲル層が貼付されており、その上、２つのアーチ形バネがあることで、位置決めモジュールと手首との固定の快適性及び安定性を確保することができる。
４．脈枕はスプリング構造が採用されており、使用過程においてベース台と分離せず紛失を防止し、且つ自由に回転することができ、左右の腕の脈拍採取の転換の実現をしやすくする。
【図面の簡単な説明】
【００１２】
【図１】従来の１つ目の脈診機の構造説明図である。
【図２】従来の２つ目の脈診機の構造説明図である。
【図３】従来の３つ目の脈診機の構造説明図である。
【図４】従来の４つ目の脈診機の構造説明図である。
【図５】本発明の脈診機の位置決めモジュールの構造説明図である。
【図６】本発明の脈診機の位置決めモジュールの平面図である。
【図７】本発明の脈診機の位置決めモジュールの正面図である。
【図８】本発明の脈診機のセンサモジュールの構造説明図である。
【図９】本発明の脈診機の実施例である。
【図１０】本発明の脈診機の使用状態の説明図である。
【発明を実施するための形態】
【００１３】
図９に示すように、本発明の実施形態である脈診機（脈診断装置）は、人の手首部に独立に固定される１つの位置決めモジュール１（図５参照）を含む。位置決めモジュール１は、１つの可視の位置決め窓１１を有する。脈診機は、さらに１つのセンサモジュール２（図８参照）を含む。センサモジュール２は、位置決めモジュール１に取り付けられる。その後、センサモジュール２のセンサ探知ヘッド２１が位置決め窓１１の内部に配置される。
【００１４】
図５〜図７に示すように、位置決め窓１１の周りには、脈拍の位置決めのための位置決めマーク１２を有する。好ましくは、位置決めマーク１２が位置決め窓１１の四辺のそれぞれ中心位置に設置され、これに対応して、組み立てられた後のセンサ探知ヘッド２１が位置決め窓１１の中心位置に配置される。これによって、センサ探知ヘッド２１は、検出待ちの橈骨動脈の位置と合わせられる。
【００１５】
センサモジュール２は、弾性フック２２を有する。位置決めモジュール１には、係止溝１３が設けられている。脈診機が組み立てられる時、センサモジュール２の弾性フック２２は、位置決めモジュール１の係止溝１３内に係止される。
【００１６】
位置決めモジュール１において、人の手首が合わせられる部分は、アーチ形凹面部１４である。アーチ形凹面部１４には、医用シリカゲル層が貼付されてもよい。位置決めモジュール１の底部には、位置決めモジュール１を人の手首部に固定するための２つのアーチ形バネ１５が設けられている。アーチ形バネ１５には、ナイロン包帯が被装される。
【００１７】
本実施形態の脈診機は、さらに１つの、人の手の前腕を支持するためのベース台３を含む。ベース台３の内部には配線板が配置され、センサモジュール２はデータ線を介してベース台３と接続される。ベース台３には１つの脈枕３１が設置されても良い。脈枕３１の底部は１つのスプリングを介してベース台３に固定されるので、脈枕３１は人の左右の腕の両方に対応するためにベース台３に対して１８０°回転することができる。
【００１８】
本実施形態の脈診機は、さらに１つの電源ケース４を含む。電源ケース４を外に配置することで、電気による干渉を防止し、センサにより採集されるデータをより正確にすることができる。
【００１９】
図１０は、本実施形態の脈診機の使用状態の説明図である。好ましくは、本実施形態において、位置決めモジュール１を固定する方法は、まず、医者が、位置決めモジュール１を人の手首部に配置する。その後、医者は、指先を位置決め窓１１内に挿入して腕の脈拍の正確な位置を見つける。その後、医者は、位置決めモジュール１を移動して、位置決め窓１１の周りの四辺のそれぞれ中心の位置決めマーク１２を脈拍の位置と合わせる。その後、医者は、位置決めモジュール１の底部の２つのアーチ形バネ１５におけるナイロン包帯を介して位置決めモジュール１を固定する。
【００２０】
医者は、位置決めモジュール１を固定した後、さらに人の手の前腕をベース台３に配置し、手首部を脈枕３１に支持させる。なお、本実施形態の脈枕３１は人体工学に基づいて設計されている。人の手が脈枕３１に支持される時、検出待ちの橈骨動脈の接面が水平になる。また、センサモジュール２を垂直に設置させることができる。また、左腕及び右腕を測定する時、対称原理に基づいて脈枕を１８０°回転させて使用することができる。
【符号の説明】
【００２１】
１      位置決めモジュール
２      センサモジュール
３      ベース台
４      電源ケース
１１    位置決め窓
１２    位置決めマーク
１３    係止溝
１４    アーチ形凹面部
１５    アーチ形バネ
２１    センサ探知ヘッド
２２    弾性フック
３１    脈枕
【図１】
0005608237.tif 000002
【図２】
0005608237.tif 000003
【図３】
0005608237.tif 000004
【図４】
0005608237.tif 000005
【図５】
0005608237.tif 000006
【図６】
0005608237.tif 000007
【図７】
0005608237.tif 000008
【図８】
0005608237.tif 000009
【図９】
0005608237.tif 000010
【図１０】
0005608237.tif 000011